(57)【要約】【課題】長期間に亘って安定してデータを記憶することができ、情報の改竄を抑制して、原本性を維持することができるデータ保存システム、データ記録装置、データ再現装置及びデータ保存媒体を提供する。【解決手段】データ記録装置２０のバイナリコード変換手段２１２は、各種デジタルデータを、バイナリ単位に分解して、連鎖データを生成する。そして、データグループ生成手段２１３は、連鎖データを所定のデータ容量毎に分割して、連続したデータグループを生成する。２次元コードイメージ生成手段２１４は、各データグループを２次元コードのイメージに変換し、予め定められたフォームを適用して配置したフレームイメージを生成する。マイクロフィルムプロッタ３０は、分解能：２μのレーザーヘッドを用いて実像を１／３０に縮小してフレームイメージを順次マイクロフィルムにプロットする。【選択図】図１
2007334513.tif 000002
【特許請求の範囲】
【請求項１】
保存対象のデータを取得し、連鎖データを生成する連鎖生成手段と、前記連鎖データを、所定のデータ容量で分割してデータグループを生成するグループ生成手段と、前記データグループ毎に２次元コードイメージを生成するコード生成手段と、前記２次元コードイメージを縮小して、レーザビームによりマイクロフィルムに直接描画するプロッタとから構成されたデータ記録装置と、
マイクロフィルムからフィルム画像を取得するマイクロフィルムスキャナと、前記フィルム画像から、２次元コードイメージを抽出し、デコードする解読フィルタと、前記デコードされたデータグループを結合して保存対象のデータを取得する復元フィルタとから構成されたデータ再現装置と
を備えたことを特徴とするデータ保存システム。
【請求項２】
保存対象のデータを取得し、連鎖データを生成する連鎖生成手段と、
前記連鎖データを、所定のデータ容量で分割してデータグループを生成するグループ生成手段と、
前記データグループ毎に２次元コードイメージを生成するコード生成手段と、
前記２次元コードイメージを縮小して、レーザビームによりマイクロフィルムに直接描画するプロッタと
を備えたことを特徴とするデータ記録装置。
【請求項３】
前記グループ生成手段は、連続するデータグループを特定するための結合子を含めたデータグループを生成することを特徴とする請求項２に記載のデータ記録装置。
【請求項４】
マイクロフィルムからフィルム画像を取得するマイクロフィルムスキャナと、
前記フィルム画像から、２次元コードイメージを抽出し、デコードする解読フィルタと、
デコードされたデータグループを結合して保存対象のデータを取得する復元フィルタとを備えたことを特徴とするデータ再現装置。
【請求項５】
前記復元フィルタは、データグループに含まれる結合子を特定し、この結合子を用いてデータグループを結合することを特徴とする請求項４に記載のデータ再現装置。
【請求項６】
保存対象のデータから連鎖データを生成し、
前記連鎖データを、所定のデータ容量で分割してデータグループを生成し、
前記データグループ毎に２次元コードイメージを生成し、
前記２次元コードイメージを縮小して、レーザビームによりマイクロフィルムに直接描画したデータ保存媒体。
【発明の詳細な説明】
【技術分野】
【０００１】
本発明は、データの保存技術に係り、詳しくはマイクロフィルムを利用して長期保存を実現するための技術に関する。
【背景技術】
【０００２】
今日、多様な情報が企業等の活動の中でも利用されており、これからの長期保存技術が模索されている。例えば、各種情報を電子データとしてハードディスク装置など磁気記憶媒体に記録させる場合がある。さらに、光ディスクなど大容量の情報記憶媒体も登場している。
【０００３】
一方、マイクロフィルムの寿命は可視像保存媒体の中で、最も永く１００年以上とされている。このことは１００年以上情報を破壊や喪失から守り、保存しておかなければならない場合は最適な情報保存媒体であることを示している。このマイクロフィルム技術では、イメージデータを縮小し、保存用フィルムに焼き付けることによって、永年保存を実現していた。更に、マイクロフィルム用バーコードの符号化方法に関する技術も開示されている（例えば、特許文献１を参照）。この文献記載の技術では、ロール状のマイクロフィルムに写し込む黒の符号の長さによって情報を表す。またこの場合に黒の符号の次にこの黒の符号と同一長さの透明空白部分を設けた。
【０００４】
更に、長期保存に適するマイクロフィルムを用い、マイクロフィルムの読込及び書込に適した形式で記録する記録装置に関する技術も開示されている（例えば、特許文献２を参照）。この文献記載の技術では、情報変換手段が情報を２次元バーコードに変換し、ライタが２次元バーコードをマイクロフィルムに焼き付ける。マイクロフィルムにより、情報の長期保存を実現する。
【特許文献１】特開平７−３６１１１号公報（第１頁）
【特許文献２】特開２００６−１２７０５４号公報（第１頁）
【発明の開示】
【発明が解決しようとする課題】
【０００５】
しかしながら、磁気記憶媒体を利用する場合、大容量化を容易に実現することができるが、その耐用年数は、マイクロフィルムに比べて短い。一方、マイクロフィルムの場合、画像をそのまま焼き付けたのでは、焼付け可能な情報量に制限がある。
【０００６】
本発明は上記課題を解決するためになされたものであり、長期間に亘って安定してデータを記憶することができ、情報の改竄を抑制して、原本性を維持することができるデータ保存システム、データ記録装置、データ再現装置及びデータ保存媒体を提供することにある。
【課題を解決するための手段】
【０００７】
上記問題点を解決するために、請求項１に記載の発明は、保存対象のデータを取得し、連鎖データを生成する連鎖生成手段と、前記連鎖データを、所定のデータ容量で分割してデータグループを生成するグループ生成手段と、前記データグループ毎に２次元コードイメージを生成するコード生成手段と、前記２次元コードイメージを縮小して、レーザビームによりマイクロフィルムに直接描画するプロッタとから構成されたデータ記録装置と、マイクロフィルムからフィルム画像を取得するマイクロフィルムスキャナと、前記フィルム画像から、２次元コードイメージを抽出し、デコードする解読フィルタと、前記デコー
ドされたデータグループを結合して保存対象のデータを取得する復元フィルタとから構成されたデータ再現装置とを備えたことを要旨とする。
【０００８】
請求項２に記載の発明は、保存対象のデータを取得し、連鎖データを生成する連鎖生成手段と、前記連鎖データを、所定のデータ容量で分割してデータグループを生成するグループ生成手段と、前記データグループ毎に２次元コードイメージを生成するコード生成手段と、前記２次元コードイメージを縮小して、レーザビームによりマイクロフィルムに直接描画するプロッタとを備えたことを要旨とする。
【０００９】
請求項３に記載の発明は、請求項２に記載のデータ記録装置において、前記グループ生成手段は、連続するデータグループを特定するための結合子を含めたデータグループを生成することを要旨とする。
【００１０】
請求項４に記載の発明は、マイクロフィルムからフィルム画像を取得するマイクロフィルムスキャナと、前記フィルム画像から、２次元コードイメージを抽出し、デコードする解読フィルタと、デコードされたデータグループを結合して保存対象のデータを取得する復元フィルタとを備えたことを要旨とする。
【００１１】
請求項５に記載の発明は、請求項４に記載のデータ再現装置において、前記復元フィルタは、データグループに含まれる結合子を特定し、この結合子を用いてデータグループを結合することを要旨とする。
【００１２】
請求項６に記載の発明は、保存対象のデータから連鎖データを生成し、前記連鎖データを、所定のデータ容量で分割してデータグループを生成し、前記データグループ毎に２次元コードイメージを生成し、前記２次元コードイメージを縮小して、レーザビームによりマイクロフィルムに直接描画したことを要旨とする。
（作用）
請求項１、２、４又は６によれば、保存対象のデータを取得し、連鎖データを生成し、所定のデータ容量で分割してデータグループを生成する。そして、データグループ毎に２次元コードイメージを生成し、２次元コードイメージを縮小して、レーザビームによりマイクロフィルムに直接描画する。そして、フィルム画像を取得し、２次元コードイメージを抽出し、デコードしてデータグループを結合して保存対象のデータを取得することができる。これにより、マイクロフィルムを用いて大容量のデータを長期間に亘って保存することができる。
【００１３】
請求項３、５によれば、連続するデータグループを特定するための結合子を含めたデータグループを生成する。これにより、データグループの連続性を担保して、オリジナルのデータの復元を図ることができる。
【発明の効果】
【００１４】
本発明によれば、長期間に亘って安定して高密度にデータを記憶することができ、情報の改竄を抑制して、原本性を維持することができる。
【発明を実施するための最良の形態】
【００１５】
以下、本発明を具体化したデータ保存システム、データ記録装置、データ再現装置及びデータ保存媒体の一実施形態を図１〜図４に従って説明する。本実施形態では、保存対象のデジタルデータは、ネットワークを介して取得可能なアプリケーションデータの他、記録媒体等に保存されたデータについても適用可能である。このデータをマイクロフィルムに保存し、再び元のデジタルデータに復元する。本実施形態では、（ａ）デジタルデータを可視像化する技術、（ｂ）可視像データから１／３０圧縮マイクロ写真を生成する技術
、（ｃ）マイクロフィルムの長期保存技術、（ｄ）マイクロ写真イメージからデータへの復元技術を用いる。
【００１６】
本実施形態のデータ保存システムは、データ記録装置２０、マイクロフィルムプロッタ３０、フィルム現像装置４０、データ再現装置７０から構成される。データを保存する場合には、図１に示すようにデータ記録装置２０を用いる。一方、データを復元する場合には、図４に示すデータ再現装置７０を用いる。
【００１７】
（データ保存工程）
図１に示すように、データ記録装置２０は、ＣＰＵ（Central Processing Unit）、Ｒ
ＡＭ（Random Access Memory）、ＲＯＭ（Read Only Memory）から構成されている制御部２１及びデータ記憶部２２を備える。
【００１８】
この制御部２１は、データ取得手段２１１、バイナリコード変換手段２１２、データグループ生成手段２１３、２次元コードイメージ生成手段２１４として機能する。
制御部２１のデータ取得手段２１１は、データソース１０から各種デジタルデータを取得する。本実施形態では、画像データ、電子文書データ、３次元ＣＡＤデータ等、すべての種類のデータが保存対象となる。例えば、保存対象には、ＴＩＦＦ（Tagged Image File Format）形式、ＪＰＥＧ（Joint Photographic Experts Group）形式等のようにＯＳ（Operating System）上のラスターイメージデータが含まれる。更に、プリントドライバによってラスターイメージ化できるアプリケーションデータ、その他のバイナリコードで表現されるデータも対象とする。そして、データ取得手段２１１は、取得したデータをデータ記憶部２２に記録する。
【００１９】
制御部２１のバイナリコード変換手段２１２は、データソース１０から取得したデータを、バイナリ単位に分解して、連鎖データを生成する。
制御部２１のデータグループ生成手段２１３は、連鎖データを所定のデータ容量毎に分割して、連続したデータグループを生成する。本実施形態では、連鎖データを９ｋＢ毎に分割する。そして、この分割データに対して接合子を付与してデータグループを構成する。ここでは、接合子として、分割した順番に連続した番号を設定したコードを用いる。これらのデータグループは、２次元バーコードに変換するためのデータとなる。そして、生成したデータグループをデータ記憶部２２に記録する。
【００２０】
制御部２１の２次元コードイメージ生成手段２１４はコード生成手段として機能し、生成された各データグループを、２次元コードのイメージに変換する。本実施形態では、２次元コードとして、公知のＱＲコード（登録商標）を利用する。具体的には、一つの２次元コードは、２０ｍｍ四方のコードイメージと周囲を取り巻く１ｍｍ幅の余白（マージン）から構成する。２次元コードの所定のバージョンを用いることにより、１コード当り９ｋＢのデータをシンボルイメージで表現することができる。そして、２次元コードイメージ生成手段２１４は、各シンボルイメージを、予め定められたフォームを適用して、Ａ０版（１１８９ｍｍ×８４１ｍｍ）上に配置したフレームイメージを生成する。本実施形態では、フレームイメージはＴＩＦＦにより作成し、データ記憶部２２に記録する。
【００２１】
そして、データ記録装置２０は、生成したフレームイメージを、マイクロフィルムプロッタ３０に供給する。
マイクロフィルムプロッタ３０は、データ記録装置２０から取得したフレームイメージを順次マイクロフィルムにプロットしてマイクロ写真を作成する。このマイクロフィルムプロッタ３０では、ＪＩＳマイクロ写真規格に準拠した撮影方式を用いる。本実施形態では分解能：２μのレーザーヘッドを用いて実像を１／３０に縮小して未使用マイクロフィルム（３５ｍｍポジフィルム）の感光面に直接的に描画する。ここでは、図２に示すよう
に、２次元コードイメージ１００がマイクロフィルム５０のイメージエリア５１０に順次記録される。
【００２２】
２次元コード１単位をマイクロフィルム１フレームに羅列すると１８７２個の２次元コードを配列できる。１単位９ｋＢの２次元コードの場合、フィルムの１フレームに約１６．８５ＭＢのデータを収容できる。３５ｍｍ、１００Ｆｔのマイクロフィルムには最大７００フレームがイメージエリアとして使用できる。なお、１００Ｆｔのフィルムに１０ＧＢの情報を描き終わるためには約６時間を要するが、この間は無人で稼動する。この結果、図３に示すように、２次元コードイメージ１００が、順次配置される。
【００２３】
そして、プロット済みのフィルムを、フィルム現像装置４０を用いて現像する。現像を終えたフィルムはイメージの目視検査（ＪＩＳマイクロ写真検査基準に準拠）を行ない、保管庫へ収容する。
【００２４】
ここでも、保存中のマイクロフィルムはマイクロフィルム検査規格（ＪＩＳ）に準拠して保存状態を管理することで長期間の保存を実現できる。また、物理的な外部応力による損傷が発見された場合、損傷が拡大する前にフィルムを複製して被害を阻止する。
【００２５】
（データの再現）
次に、マイクロフィルムからデータを再現するための処理について説明する。
マイクロフィルムに保存された情報が必要になった場合、フィルムを保管庫から取り出し、マイクロフィルムスキャナ６０に通してスキャニングを行なう。マイクロフィルムスキャナ６０で読み取ったデータはデータ再現装置７０に提供される。
【００２６】
データ再現装置７０は、ＣＰＵ、ＲＡＭ、ＲＯＭから構成されている制御部７１とデータ記憶部７２を備える。この制御部７１は、２次元コードデータ取得手段７１１、２次元コード解読フィルタ７１２、アプリケーション復元フィルタ７１３として機能する。
【００２７】
２次元コードデータ取得手段７１１は、マイクロフィルムスキャナ６０から画像データを取得し、データ記憶部７２に記録する。
２次元コード解読フィルタ７１２は、予め定められたフォームを適用して、画像データ上の各２次元コードイメージを読み取り、デコードを行なう。
【００２８】
そして、デコードされたデータの中に含まれる結合子を検知した場合には、この結合子を用いてデータの配列を決定する。そして、結合子を除いた残りのデータを、この配列に従って結合してデータを再現する。そして、ネットワークを介してクライアント端末８０に提供される。
【００２９】
上記実施形態によれば、以下のような効果を得ることができる。
・  上記実施形態では、データ記録装置２０の制御部２１が、データソース１０から各種デジタルデータを取得し、バイナリ単位に分解して、連鎖データを生成し、連鎖データを所定のデータ容量毎に分割して、連続したデータグループを生成する。生成された各データグループを、２次元コードのイメージに変換する。マイクロフィルムプロッタ３０において、２次元コードイメージを配置したマイクロフィルムを作成する。電子媒体等とは異なり、マイクロフィルムによりデジタルデータを長期間、保存することができる。
【００３０】
２０ｍｍ角の２次元コードは約９ｋＢのデータを格納することができる。これを、２μのレーザを用いたプロッタにより、１／３０縮小でマイクロフィルムにプロットした場合、１巻（３５ｍｍ、１００Ｆｔ）に収容できるデータは約１０ＧＢとなる。これにより、ＤＶＤ（Digital Versatile Disk）を超えるデータ収容力を実現することができる。
【００３１】
・  上記実施形態では、マイクロフィルムにおいてデジタルデータをマイクロ写真として保存する。このため、マイクロフィルムは、耐久性に優れ保存媒体として最適であると同時に、イメージフィルムであるため情報の改ざんを防止することができる。
【００３２】
・  上記実施形態では、コード化したシンボル（ここでは、２次元コードイメージ）を用いる。これにより、バイナリコード化できるデータであれば、２次元表現の難しい３次元ＣＡＤデータや退色等のおそれがあるカラー写真イメージのようなイメージ情報を、デジタル化によって正確に表現することができる。
【００３３】
なお、本実施形態は以下のように変更してもよい。
○  上記実施形態では、２次元コードとして、公知のＱＲコード（登録商標）を利用したが、これに限定されるものではない。
【００３４】
○  上記実施形態では、データ記録装置２０の制御部２１の２次元コードイメージ生成手段２１４が、各イメージを、予め定められたフォームを適用して、Ａ０版上に配置したフレームイメージを生成した。そして、マイクロフィルムプロッタ３０は、データ記録装置２０から取得したフレームイメージを順次マイクロフィルムにプロットする。これに代えて、２次元コードイメージ生成手段２１４は、データグループから生成した２次元コードイメージデータを、順次、マイクロフィルムプロッタ３０に提供するように構成してもよい。そして、マイクロフィルムプロッタ３０が逐次、２次元コードイメージ１００をイメージエリア５１０にプロットする。これにより、データ処理と並行して、プロットを行なうことができる。
【００３５】
○  上記実施形態では、連鎖データを９ｋＢ毎に分割したが、分割のデータ容量はこれに限定されるものではない。保存対象のデータ容量、２次元コードの大きさ（セル数）、誤り訂正レベルに基づいて、フレームの大きさ、配置に基づいて、分割するデータ容量の最適化を図ることができる。
【００３６】
○  上記実施形態では、接合子として、分割した順番に連続した番号を設定したコードを用いた。この接合子は、データを復元するために、データグループの順番を特定できるものであれば、連続した番号に限定されるものではない。
【図面の簡単な説明】
【００３７】
【図１】データ記録装置の機能ブロックの説明図。
【図２】マイクロフィルムにおいて２次元コードが配置されたフレームの説明図。
【図３】２次元コードの配置の説明図。
【図４】データ再現装置の機能ブロックの説明図。
【符号の説明】
【００３８】
２０…データ記録装置、２１…制御部、２１１…データ取得手段、２１２…バイナリコード変換手段、２１３…データグループ生成手段、２１４…２次元コードイメージ生成手段、３０…マイクロフィルムプロッタ、４０…フィルム現像装置、５０…マイクロフィルム、７０…データ再現装置、７１…制御部、７１１…２次元コードデータ取得手段、７１２…２次元コード解読フィルタ、７１３…アプリケーション復元フィルタ。
【図１】
2007334513.tif 000003
【図２】
2007334513.tif 000004
【図３】
2007334513.tif 000005
【図４】
2007334513.tif 000006